(57)【要約】【課題】電極表面に塗布するペースト剤の塗布量が安定しやすい、電極ユニット、ヘッドセット及び、ペースト剤の塗布方法を提案する。【解決手段】電極ユニット１は、人体の生体信号を計測するために、ペースト剤２を介して人体に当てられる電極表面３０を有する電極体３と、電極表面３０が向く第一の向きＤ１とは反対の第二の向きＤ２に見て、電極表面３０を囲んで位置することで、ペースト剤２が塗布される塗布領域Ａ１を形成する規定部材５を備える。規定部材５は、第一の向きＤ１の端面５０が電極表面３０よりも高く位置する。ヘッドセットは、電極ユニット１と、電極ユニット１が取り付けられ、人体の頭部に装着されるフレームを備える。ペースト剤の塗布方法は、電極ユニット１の規定部材５で囲まれる塗布領域Ａ１を埋めるように、電極表面３０にペースト剤２を塗布する。【選択図】図１
2020054522.tif 000002
【特許請求の範囲】
【請求項１】
人体の生体信号を計測するために、ペースト剤を介して前記人体に当てられる電極表面を有する電極体と、
前記電極表面が向く第一の向きとは反対の第二の向きに見て、前記電極表面を囲んで位置することで、前記ペースト剤が塗布される塗布領域を形成する規定部材と、を備え、
前記規定部材は、前記第一の向きの端面が前記電極表面よりも高く位置する、
電極ユニット。
【請求項２】
前記規定部材は、
前記端面が前記電極表面よりも高く位置する塗布位置と、
前記端面が前記塗布位置よりも前記第二の向きに退避した退避位置とに、移動可能である、
請求項１の電極ユニット。
【請求項３】
前記規定部材は、前記塗布位置と前記退避位置とに、スライド移動する、
請求項２の電極ユニット。
【請求項４】
前記規定部材に対して、前記塗布位置に向かう方向に力を加えるばね部材を更に備える、
請求項３の電極ユニット。
【請求項５】
前記規定部材は、前記第一の向きに沿った回転軸を中心に回転しながら、前記塗布位置と前記退避位置とに、移動する、
請求項２の電極ユニット。
【請求項６】
前記塗布位置は、変更可能である、
請求項２から５のいずれか一つの電極ユニット。
【請求項７】
前記電極体を支持する支持部材を更に備え、
前記規定部材は、前記支持部材に着脱可能に取り付けられる、
請求項１の電極ユニット。
【請求項８】
前記第二の向きに見て、前記塗布領域の中心は、前記電極表面の中心からずれて位置する、
請求項７の電極ユニット。
【請求項９】
前記規定部材は、弾性を有する、
請求項１の電極ユニット。
【請求項１０】
前記規定部材の前記端面は、前記第一の向きに直交する方向の一端部が、前記方向の他端部よりも低く位置する、
請求項１から９のいずれか一つの電極ユニット。
【請求項１１】
請求項１から１０のいずれか一つの電極ユニットと、
前記電極ユニットが取り付けられ、前記人体の頭部に装着されるフレームと、を備える、
ヘッドセット。
【請求項１２】
請求項１から１０のいずれか一つの電極ユニットの前記規定部材で囲まれる前記塗布領域を埋めるように、前記電極表面に前記ペースト剤を塗布する、
ペースト剤の塗布方法。
【発明の詳細な説明】
【技術分野】
【０００１】
本開示は、電極ユニット、ヘッドセット、及びペースト剤の塗布方法に関する。
【背景技術】
【０００２】
特許文献１には、被験者の頭部の皮膚に押し付けて脳波を測定するための脳波用電極が取り付けられたプローブ（検出用の部品）が記載されている。
【０００３】
脳波用電極は、その表面に脳波用クリームが塗布された状態で、皮膚に押し付けられる。
【先行技術文献】
【特許文献】
【０００４】
【特許文献１】特開２００９−２４７５１２号公報
【発明の概要】
【発明が解決しようとする課題】
【０００５】
ところで、一般的に、脳波用クリーム等のペースト剤は目分量で電極表面に塗布されるため、塗布量にばらつきが生じやすく、特許文献１に記載のプローブでは、所望の厚みにペースト剤を塗布することが難しかった。
【０００６】
上記事情に鑑みて、本開示は、電極表面に塗布するペースト剤の塗布量が安定しやすい、電極ユニット、ヘッドセット、及びペースト剤の塗布方法を提案することを目的とする。
【課題を解決するための手段】
【０００７】
本開示に係る一態様の電極ユニットは、電極体と規定部材を備える。前記電極体は、人体の生体信号を計測するために、ペースト剤を介して前記人体に当てられる電極表面を有する。前記規定部材は、前記電極表面が向く第一の向きとは反対の第二の向きに見て、前記電極表面を囲んで位置することで、前記ペースト剤が塗布される塗布領域を形成する。前記規定部材は、前記第一の向きの端面が前記電極表面よりも高く位置する。
【０００８】
また、本開示に係る一態様のヘッドセットは、前記電極ユニットと、前記電極ユニットが取り付けられ、前記人体の頭部に装着されるフレームと、を備える。
【０００９】
また、本開示に係る一態様のペースト剤の塗布方法は、前記電極ユニットの前記規定部材で囲まれる前記塗布領域を埋めるように、前記電極表面に前記ペースト剤を塗布する。
【発明の効果】
【００１０】
本開示の上記態様によれば、電極表面に塗布するペースト剤の塗布量が安定しやすい、電極ユニット、ヘッドセット、及びペースト剤の塗布方法を提案することができる。
【図面の簡単な説明】
【００１１】
【図１】図１Ａは、本開示に係る実施形態１の電極ユニットのペースト剤塗布前の状態を示す概略斜視図であり、図１Ｂは、同上の電極ユニットのペースト剤塗布時の状態を示す概略斜視図である。
【図２】図２Ａは、同上の電極ユニットを備えるヘッドセットの使用状態を示す概略上面図であり、図２Ｂは、同上のヘッドセットの使用状態を示す概略正面図である。
【図３】図３Ａは、同上の電極ユニットのペースト剤塗布前の状態を示す概略正面断面図であり、図３Ｂは、同上の電極ユニットのペースト剤塗布時の状態を示す概略正面断面図である。
【図４】図４Ａは、同上の電極ユニットの変形例のペースト剤塗布時の状態を示す概略正面断面図であり、図４Ｂは、同上の電極ユニットの変形例の測定時の状態を示す概略正面断面図である。
【図５】図５は、同上の電極ユニットの他の変形例のペースト剤塗布時の状態を示す概略正面断面図である。
【図６】図６Ａは、本開示に係る実施形態２の電極ユニットのペースト剤塗布前の状態を示す概略正面断面図であり、図６Ｂは、同上の電極ユニットのペースト剤塗布時の状態を示す概略正面断面図である。
【図７】図７Ａは、本開示に係る実施形態３の電極ユニットのペースト剤塗布前の状態を示す概略正面断面図であり、図７Ｂは、同上の電極ユニットのペースト剤塗布時の状態を示す概略正面断面図である。
【図８】図８Ａは、同上の電極ユニットの変形例のペースト剤塗布時の状態を示す概略正面断面図であり、図８Ｂは、同上の電極ユニットの変形例のペースト剤塗布時の状態を示す概略平面図である。
【図９】図９Ａは、本開示に係る実施形態４の電極ユニットのペースト剤塗布時の状態を示す概略正面断面図であり、図９Ｂは、同上の電極ユニットの測定時の状態を示す概略正面断面図である。
【図１０】図１０は、同上のヘッドセットを示す概略斜視図である。
【図１１】図１１は、同上のヘッドセットを用いたリハビリテーションシステムを示す概略図である。
【発明を実施するための形態】
【００１２】
（電極ユニット）
（実施形態１）
（１）概要
図１Ａ，Ｂには、実施形態１の電極ユニット１が示されている。電極ユニット１は、人体の生体信号の計測に用いられる。電極ユニット１は、例えば、図２Ａ，Ｂに示すようなヘッドセット１００に取り付けられて、人体の脳波を測定する。
【００１３】
図１Ａ，Ｂに示すように、電極ユニット１は、電極体３と規定部材５を備える。電極体３は、人体の生体信号を計測するために、ペースト剤２を介して人体に当てられる電極表面３０を有する。規定部材５は、電極表面３０が向く第一の向きＤ１とは反対の第二の向きＤ２に見て、電極表面３０を囲んで位置することで、ペースト剤２が塗布される塗布領域Ａ１を形成する。規定部材５は、第一の向きＤ１の端面５０が電極表面３０よりも高く位置する。
【００１４】
上記構成を備えることで、電極ユニット１では、規定部材５によって形成される塗布領域Ａ１を埋めるように、電極表面３０にペースト剤２を塗布することができて、電極表面３０に塗布するペースト剤２の塗布量が安定しやすい。
【００１５】
（２）詳細
以下、電極ユニット１について更に詳しく説明する。電極ユニット１は、電極体３を支持する支持部材４を更に備える。以下の説明では、図１Ａに示す第一の向きＤ１を上向きとし、第二の向きＤ２を下向きとして、各構成について説明する。
【００１６】
（２−１）電極体
電極体３は、人体の所定の計測部位に、ペースト剤２を介して当てられることで、計測部位の活動電位を計測する。電極体３は、人体の生体信号の計測に適した材料で形成される。電極体３は、例えば、銀−塩化銀電極である。電極体３は、銀、金、又は白金等で形成されてもよい。
【００１７】
図１Ａ，Ｂ及び図３Ａ，Ｂに示すように、電極体３は、ペースト剤２を介して人体に当てられる電極表面３０と、支持部材４に支持される電極裏面３１を有する。電極体３は、第二の向きＤ２に見て（つまり上側から見て）、円形状である。電極表面３０は、本実施形態では、平面である。第一の向きＤ１及び第二の向きＤ２とは、電極表面３０に直交する方向である。なお、電極体３は、椀状の皿電極であってもよく、つまり、電極表面３０が凹曲面であってもよい。この場合、第一の向きＤ１及び第二の向きＤ２とは、電極表面３０の中心（重心）に直交する方向である。
【００１８】
電極裏面３１には、導電性を有する金属製のピン６が電気的かつ機械的に接続されている。ピン６は、支持部材４によって支持されている。
【００１９】
（２−２）支持部材
支持部材４は、電極体３を支持した状態で、取付対象（例えばヘッドセット１００）に対して取り付けられることで、取付対象の所定の部位に電極体３を配置するための部材である。
【００２０】
支持部材４は、電極体３とピン６を支持する円柱状の本体部４０と、本体部４０の第一の向きＤ１側（上側）の半部を囲むように位置する外筒部４１と、を有する。支持部材４は、樹脂成形品である。
【００２１】
外筒部４１は、第二の向きＤ２の端部（下端部）から径内方向に突出した底壁４１０を有する。底壁４１０は、本体部４０の第一の向きＤ１の中間部分と一体である。外筒部４１の周方向の一部には、第一の向きＤ１に沿った方向に延びた長孔４１２が設けられている。長孔４１２は、外筒部４１の第一の向きＤ１の端部（上端部）及び第二の向きＤ２の端部（下端部）を除いた残りの部分を、径方向に貫通している。
【００２２】
外筒部４１には、一対の長孔４１２が設けられている。一対の長孔４１２は、外筒部４１の周方向に互いに離れて位置する。本実施形態では、一対の長孔４１２は、互いに対向する位置に配置されている。
【００２３】
本体部４０には、本体部４０の平面視における中心部を貫通するように、ピン６が設けられている。ピン６の第一の向きＤ１の端部（上端部）は、電極体３の電極裏面３１に接し、ピン６の第二の向きＤ２の端部（下端部）は、本体部４０から第二の向きＤ２（下側）に突出している。
【００２４】
（２−３）規定部材
規定部材５は、円筒状の本体部５１と、本体部５１の周方向の一部から外側（径外方向）に突出した操作部５２と、を有する。本実施形態では、規定部材５は、一対の操作部５２を有する。一対の操作部５２のそれぞれは、本体部５１の第二の向きＤ２の端部（下端部）から外側に突出している。一対の操作部５２の配置は、支持部材４の一対の長孔４１２の配置に対応している。規定部材５は、樹脂成型品である。
【００２５】
本体部５１は、支持部材４の本体部４０と外筒部４１のうちの少なくとも一方にはまり合うように設けられている。つまり、本体部５１の内径が、本体部４０の外径と同じか、あるいは、本体部５１の外径が、外筒部４１の内径と同じである。
【００２６】
本体部５１の第一の向きＤ１の端面（上端面）が、規定部材５の端面５０である。端面５０は、第二の向きＤ２に見て（上側から見て）円環状の平面である。端面５０は、第一の向きＤ１に対して直交する平面である。なお、端面５０は、第一の向きＤ１に対して直交する平面に限らず、第一の向きＤ１に凸の凸曲面や、径内側の部分ほど下方に位置するように傾斜した平面や、径外側の部分ほど下方に位置するように傾斜した平面や、その他の形状の面であってもよい。
【００２７】
規定部材５は、本体部５１が支持部材４の本体部４０と外筒部４１の間に位置し、一対の操作部５２が支持部材４の一対の長孔４１２を通じて外筒部４１の外側に突出するように、支持部材４に取り付けられる。
【００２８】
規定部材５は、その端面５０が電極表面３０よりも高く位置する塗布位置（図３Ｂ参照）と、端面５０が塗布位置よりも第二の向きＤ２に退避した退避位置（図３Ａ参照）との間で、スライド移動する。本実施形態では、規定部材５が退避位置にあるとき、端面５０は、支持部材４の本体部４０の端面４００及び外筒部４１の端面４１１に対して面一に位置する。
【００２９】
規定部材５は、塗布位置にあるとき、電極表面３０とその表側の空間を囲んで位置することで、電極表面３０の表側に、ペースト剤２が塗布される塗布領域Ａ１を形成する。塗布位置にあるときの規定部材５の本体部５１のうち、電極表面３０よりも第一の向きＤ１に突出した部分によって囲まれる領域が、塗布領域Ａ１である。塗布領域Ａ１の厚み（上下長さ）は、適宜設定可能であるが、例えば、２．０ｍｍである。
【００３０】
塗布位置にあるとき、一対の操作部５２が支持部材４の一対の長孔４１２の第一の向きＤ１の縁に当たる。退避位置にあるとき、本体部５１は、支持部材４の外筒部４１の底壁４１０に当たる。
【００３１】
規定部材５は、一対の操作部５２のうち少なくとも一方を把持して第一の向きＤ１または第二の向きＤ２に移動させることで、塗布位置と退避位置とに移動可能である。
【００３２】
規定部材５は、本体部５１が支持部材４の本体部４０の外周面と外筒部４１の内周面のうち少なくとも一方に押し当たることで、塗布位置に保持可能である。
【００３３】
（２−４）ペースト剤
ペースト剤２は、生体信号を安定して得られるように高い導電性と、電極体３を人体に対して固定するための適度な接着性を有する、ペースト状の薬剤である。ペースト剤２としては、例えば、日本光電製の「エレフィックス」が挙げられる。
【００３４】
（３）ペースト剤の塗布方法
続いて、電極ユニット１へペースト剤２を塗布する方法の一例について説明する。
【００３５】
まず、規定部材５の一対の操作部５２をスライド操作して、規定部材５を塗布位置へと移動させる。これにより、電極表面３０とその表側の空間が規定部材５で囲まれて、電極表面３０の表側に、塗布領域Ａ１が形成される。
【００３６】
次いで、塗布領域Ａ１が埋まるように、電極表面３０にペースト剤２を塗布する。ペースト剤２のうち、規定部材５の端面５０から外側（上側）にはみ出した部分は、へら等の除去具を用いて取り除く。
【００３７】
次いで、規定部材５の一対の操作部５２をスライド操作して、規定部材５を退避位置へと移動させる。
【００３８】
以上のようにすることで、電極表面３０には、ペースト剤２を所定の厚みに塗布することができる。規定部材５を退避位置へ移動させることで、電極表面３０をペースト剤２を介して人体の測定部位に当てるときに、規定部材５の端面５０が人体に食い込むことを防ぐことができる。
【００３９】
（４）作用効果
以上説明した電極ユニット１では、支持部材４に取り付けられた規定部材５をスライド操作することで、電極表面３０の表側に塗布領域Ａ１を形成することができ、電極表面３０に塗布するペースト剤２の塗布量が安定しやすい。よって、この電極ユニット１では、人体の生体信号の測定結果を安定的に得やすい。
【００４０】
また、電極ユニット１では、規定部材５が不要なときには、規定部材５をスライド操作して退避位置へと移動させることができる。そのため、この電極ユニット１では、規定部材５が邪魔になりにくい。
【００４１】
（５）変形例
続いて、上述した電極ユニット１の変形例について説明する。
【００４２】
図４Ａ，Ｂには、電極ユニット１の変形例が示されている。この変形例の電極ユニット１では、規定部材５に対して、塗布位置に向かう方向（第一の向きＤ１（上側））に力を加えるばね部材７を更に備える。本実施形態では、ばね部材７は、複数のコイルスプリングである。複数のコイルスプリングのそれぞれは、支持部材４の外筒部４１の底壁４１０と規定部材５の本体部５１の間に配置されている。規定部材５の本体部５１は、支持部材４の本体部４０と外筒部４１のそれぞれに対して、はまり合わない（押し当たらない）ように設けられる。
【００４３】
この変形例の電極ユニット１では、規定部材５は、ばね部材７によって押されることで塗布位置に保持される。この変形例の電極ユニット１では、規定部材５の本体部５１の端面５０を人体の測定箇所に当てることで、端面５０が第二の向きＤ２（下側）に移動する。これにより、端面５０が測定箇所に強く食い込むことが抑制される。この変形例の電極ユニット１では、一対の操作部５２を操作しなくても、規定部材５を塗布位置に配置したり、塗布位置から後退させることができる。
【００４４】
なお、ばね部材７は、規定部材５に対して、退避位置に向かう方向（第二の向きＤ２（下側））に力を加えるように、支持部材４に設けてもよい。この場合、電極ユニット１は、塗布位置にある規定部材５の移動を止めるストッパーを有すればよい。ストッパーによる規制を解除することで、ばね部材７からの力によって規定部材５は塗布位置から退避位置へと自動的に移動する。
【００４５】
図５には、電極ユニット１の他の変形例が示されている。この変形例の電極ユニット１では、規定部材５の端面５０は、第一の向きＤ１に直交する方向の一端部が、この方向の他端部よりも低く位置する。本実施形態では、端面５０は、第一の向きＤ１に対して一様に傾いた傾斜面となっている。また、端面５０は、電極表面３０に対して一様に傾いた傾斜面となっている。
【００４６】
端面５０の低い側の端部は、電極表面３０からの高さが、所望の長さ（例えば２．０ｍｍ）よりも若干短く、端面５０の高い側の端部は、電極表面３０からの高さが、所望の長さ（例えば２．０ｍｍ）よりも若干長い。これにより、この変形例の電極ユニット１では、電極表面３０に塗布されるペースト剤２の厚みを、部分によって変えることができる。そのため、図２Ａ，Ｂに示すように、電極ユニット１を二つ並べて配置する場合に、両電極ユニット１の電極表面３０のうち、隣接する側の部分に塗布されるペースト剤２の厚みを小さくすることができる。このようにすれば、両電極ユニット１の電極表面３０に塗布されたペースト剤２を人体に押し当てたときに、ペースト剤２の、隣接する電極ユニット１に向かってはみ出す量をできる限り少なくできる。これにより、両電極ユニット１の電極表面３０に塗布されたペースト剤２が、互いに接することを防ぐことができ、両電極ユニット１の測定結果が別々に得られて、測定結果が安定しやすい。
【００４７】
なお、図５に示す電極ユニット１の他の変形例も、図４Ａ，Ｂに示す電極ユニット１の変形例のように、支持部材４にばね部材７を設けてもよい。
【００４８】
（実施形態２）
続いて、図６Ａ，Ｂに示す実施形態２の電極ユニット１について説明する。以下では、実施形態２の電極ユニット１について、実施形態１の電極ユニット１と同様の構成については、図中に同一の符号を付して詳しい説明を省略し、実施形態１の電極ユニット１と異なる構成については、詳しく説明する。
【００４９】
実施形態２の電極ユニット１では、規定部材５は、第一の向きＤ１に沿った回転軸を中心に回転しながら、塗布位置と退避位置とに移動するように、支持部材４に取り付けられる。塗布位置は、変更可能である。
【００５０】
詳しくは、支持部材４は、円柱状の本体部４０を有する。規定部材５は、円筒状の本体部５１を有する。本体部４０の外周面と本体部５１の内周面には、互いに引っ掛かり合う螺旋状の溝４０１，５１１が設けられている。溝４０１の一部には、規定部材５が塗布位置にあるときの本体部５１の底面の位置を示すためのマークが設けられる。規定部材５は、本体部５１の底面の位置をマークに合わせることで、塗布位置に配置することができる。本体部４０の外周面の一部には、段差面４２が設けられている。段差面４２は、溝４０１の第二の向きＤ２側（下側）に隣接して位置する。規定部材５は、その外周面を把持して回転させることで、支持部材４に対して第一の向きＤ１及び第二の向きＤ２に移動させることができる。
【００５１】
規定部材５は、端面５０が電極表面３０から所定長高く位置する塗布位置と、端面５０が支持部材４の端面４００に対して面一となる退避位置に、移動可能である。
【００５２】
規定部材５が退避位置にあるとき、規定部材５の本体部５１の底面は、支持部材４の段差面４２に当たる。
【００５３】
本実施形態では、規定部材５は、電極表面３０からの端面５０の高さを無段階で調整可能である。そのため、本実施形態の電極ユニット１では、塗布位置が調整可能であり、電極表面３０に塗布されるペースト剤２の厚みを適宜変更可能である。また、本実施形態の電極ユニット１では、退避位置についても、調整可能である。
【００５４】
以上説明した実施形態２の電極ユニット１では、支持部材４に取り付けられた規定部材５を回転操作して塗布位置に配置することで、電極表面３０の表側に塗布領域Ａ１を形成することができる。そのため、実施形態２の電極ユニット１では、塗布領域Ａ１を埋めるようにペースト剤２を塗布することで、電極表面３０に塗布するペースト剤２の塗布量が安定しやすい。よって、この電極ユニット１では、人体の生体信号の測定結果を安定的に得やすい。
【００５５】
また、実施形態２の電極ユニット１では、規定部材５が不要なときには、規定部材５を回転操作して退避位置へと移動させることができる。そのため、この電極ユニット１では、規定部材５が邪魔になりにくい。
【００５６】
また、実施形態２の電極ユニット１では、塗布位置の調整が可能であるため、必要に応じて、電極表面３０に塗布するペースト剤２の塗布量を調整することができる。
【００５７】
なお、実施形態２の電極ユニット１は、図５に示す電極ユニット１の変形例のように、端面５０が傾斜面であってもよい。
【００５８】
（実施形態３）
続いて、図７Ａ，Ｂに示す実施形態３の電極ユニット１について説明する。以下では、実施形態３の電極ユニット１について、実施形態１の電極ユニット１と同様の構成については、図中に同一の符号を付して詳しい説明を省略し、実施形態１の電極ユニット１と異なる構成については、詳しく説明する。
【００５９】
実施形態３の電極ユニット１では、規定部材５は、支持部材４に着脱可能に取り付けられる。規定部材５は、電極体３とその表側の塗布領域Ａ１を囲む円筒状の第一筒部５３と、支持部材４を囲む円筒状の第二筒部５４と、第一筒部５３の第二の向きＤ２の端部と第二筒部５４の第一の向きＤ１の端部とを繋ぐ円環板状のフランジ部５５とを有する。第二筒部５４の内径は、支持部材４の本体部４０の外径と同じである。
【００６０】
規定部材５は、フランジ部５５が支持部材４の本体部４０の端面４００に当たるように、支持部材４に対して取り付けられる。このとき、第二筒部５４が支持部材４の本体部４０に対してはまり合い、電極表面３０の表側に、第一筒部５３によって囲まれた塗布領域Ａ１が形成される。
【００６１】
以上説明した実施形態３の電極ユニット１では、支持部材４に規定部材５を取り付けることで、電極表面３０の表側に塗布領域Ａ１を形成することができる。そのため、実施形態３の電極ユニット１では、塗布領域Ａ１を埋めるようにペースト剤２を塗布することで、電極表面３０に塗布するペースト剤２の塗布量が安定しやすい。よって、この電極ユニット１では、人体の生体信号の測定結果を安定的に得やすい。
【００６２】
また、実施形態３の電極ユニット１では、規定部材５が不要なときには、規定部材５を支持部材４から取り外すことができ、規定部材５が邪魔になりにくい。
【００６３】
また、実施形態３の電極ユニット１では、支持部材４に対して規定部材５が着脱可能であるため、規定部材５の洗浄がしやすい。
【００６４】
なお、実施形態３の電極ユニット１においても、図５に示す電極ユニット１の変形例のように、端面５０が傾斜面であってもよい。
【００６５】
続いて、図８Ａ，Ｂに示す実施形態３の電極ユニット１の変形例について説明する。
【００６６】
この電極ユニット１の変形例では、第二の向きＤ２に見て、塗布領域Ａ１の中心Ｃ１は、電極表面３０の中心Ｃ２からずれて位置する。
【００６７】
規定部材５は、第一筒部５３が、塗布領域Ａ１を囲む円筒状の第一部分５３０と、電極体３を囲む円筒状の第二部分５３１と、第一部分５３０の第二の向きＤ２の端部と第二部分５３１の第一の向きＤ１の端部とを繋ぐ板状の連結部５３２とを含む。
【００６８】
第一部分５３０の内径は、第二部分５３１の内径（つまり電極体３の外径）よりも小さい。第二の向きＤ２に見て、第一部分５３０の中心（つまり塗布領域Ａ１の中心Ｃ１）は、第二部分５３１の中心（つまり電極表面３０の中心Ｃ２）からずれて位置する。
【００６９】
規定部材５は、フランジ部５５が支持部材４の本体部４０の端面４００に当たり、かつ連結部５３２が電極表面３０に当たるように、支持部材４に対して取り付けられる。このとき、第二筒部５４が支持部材４の本体部４０に対してはまり合い、第一筒部５３の第一部分５３０の内側に、塗布領域Ａ１が形成される。この塗布領域Ａ１を埋めるようにペースト剤２を塗布することで、電極表面３０には所定厚みのペースト剤２の層が部分的に形成される。
【００７０】
そのため、図２Ａ，Ｂに示すように、電極ユニット１を二つ並べて配置する場合に、両電極ユニット１の電極表面３０のうち、隣接する側の部分にペースト剤２が塗布されることを防ぐことができる。このようにすれば、両電極ユニット１の電極表面３０に塗布されたペースト剤２が、人体に押し当てたときに互いに接することを防ぐことができ、両電極ユニット１の測定結果が安定しやすい。
【００７１】
（実施形態４）
続いて、図９Ａ，Ｂに示す実施形態４の電極ユニット１について説明する。以下では、実施形態４の電極ユニット１について、実施形態３の電極ユニット１と同様の構成については、図中に同一の符号を付して詳しい説明を省略し、実施形態３の電極ユニット１と異なる構成については、詳しく説明する。
【００７２】
実施形態４の電極ユニット１では、規定部材５は、弾性を有する。規定部材５は、ゴム，エラストマー等で形成される。規定部材５は、支持部材４に対して着脱可能に取り付けられる。規定部材５は、電極体３とその表側の塗布領域Ａ１を囲む円筒状の第一筒部５３と、支持部材４を囲む円筒状の第二筒部５４と、第一筒部５３の第二の向きＤ２の端部と第二筒部５４の第一の向きＤ１の端部とを繋ぐ円環板状のフランジ部５５とを有する。
【００７３】
規定部材５は、フランジ部５５が支持部材４の本体部４０の端面４００に当たるように、支持部材４に対して取り付けられる。このとき、第二筒部５４が支持部材４の本体部４０に対してはまり合い、電極表面３０の表側に、第一筒部５３によって囲まれた塗布領域Ａ１が形成される。
【００７４】
以上説明した実施形態４の電極ユニット１では、支持部材４に規定部材５を取り付けることで、電極表面３０の表側に塗布領域Ａ１を形成することができる。そのため、実施形態３の電極ユニット１では、塗布領域Ａ１を埋めるようにペースト剤２を塗布することで、電極表面３０に塗布するペースト剤２の塗布量が安定しやすい。よって、この電極ユニット１では、人体の生体信号の測定結果を安定的に得やすい。
【００７５】
また、実施形態４の電極ユニット１では、規定部材５が弾性を有するため、人体の測定部位に規定部材５の端面５０を押し当てたときに、規定部材５が変形し、端面５０が測定箇所に強く食い込むことを抑制することができる。
【００７６】
また、実施形態４の電極ユニット１では、人体の測定部位から規定部材５の端面５０を離すと、規定部材５が元の形状に戻り、電極表面３０の表側に塗布領域Ａ１を形成することができる。
【００７７】
なお、実施形態４の電極ユニット１は、図５に示す電極ユニット１の変形例のように、端面５０が傾斜面であってもよい。
【００７８】
（ヘッドセット）
続いて、上述した各実施形態の電極ユニット１を備えるヘッドセット１００について説明する。
【００７９】
図２Ａ，Ｂに示すように、ヘッドセット１００は、人体（対象者８）の頭部８０の表面（頭皮）の測定部位に、電極ユニット１の電極表面３０が、ペースト剤２を介して接触するように、人体の頭部に装着される。ヘッドセット１００は、電極ユニット１にて対象者８の脳の発する電気信号（活動電位）を測定することで、対象者８の脳波を測定し、脳波を表す脳波情報を生成する。
【００８０】
ヘッドセット１００は、図１１に示すように、情報処理装置１０１と運動補助装置１０２と制御装置１０３と共に用いられて、対象者８の運動療法によるリハビリテーションを支援する。
【００８１】
対象者８とは、脳卒中等の脳疾患又は事故等によって、身体の一部に運動麻痺又は運動機能の低下等が生じて、自己の意思又は意図に基づいて行う運動である随意運動が、不能又はその機能の低下により満足にできない人を意味する。
【００８２】
運動療法とは、対象者８の身体のうち、随意運動の不能部位又は機能の低下が生じた部位（以下、「障害部位」という）を運動させることにより、障害部位について随意運動の機能の回復を図る方法を意味する。
【００８３】
ヘッドセット１００は、電極ユニット１にて、対象者８が随意運動を行う際に生じる特徴的な変化を含む脳波を測定する。
【００８４】
情報処理装置１０１は、パーソナルコンピューター等のコンピュータシステムを主構成とする。情報処理装置１０１は、例えば、無線通信により、ヘッドセット１００からの脳波情報を受信し、この脳波情報に対して、種々の処理を施したり、脳波情報を表示したりする。
【００８５】
運動補助装置１０２は、対象者８に機械的な刺激と電気的な刺激の少なくとも一方を加えて、対象者８の随意運動を補助する。本実施形態では、運動補助装置１０２は、対象者８の左手に装着されて、対象者８の左手指による把持動作（物をつかむ動作）及び伸展動作（つかんでいる物を放す動作）を補助する。
【００８６】
運動補助装置１０２は、手指駆動装置と、電気刺激発生装置と、を有する。手指駆動装置は、対象者８の手指を保持し、モータ又はソレノイド等の動力源で発生した力により手指を動かすことによって、手指に機械的な刺激を与える装置である。電気刺激発生装置は、手指の神経に対応する部位に電気的な刺激を与える装置である。
【００８７】
制御装置１０３は、ヘッドセット１００及び情報処理装置１０１にて取得された脳波情報に基づいて、運動補助装置１０２の手指駆動装置及び電気刺激発生装置を制御する装置である。制御装置１０３は、ヘッドセット１００の電極ユニット１により手指を動かすための脳波が検出されたときに、運動補助装置１０２を制御して、手指を機械的に動かすとともに、手指の神経に電気的な刺激を与える。
【００８８】
図２Ａ，Ｂ及び図１０に示すように、ヘッドセット１００は、フレーム１１と、取付部１２と、一対の保持部１３と、処理部１４と、参照電極１５と、アース電極１６とを備えている。
【００８９】
フレーム１１は、馬蹄状（言い換えれば、カチューシャ（Alice band）状）である。フレーム１１は、長い帯状の金属板と、金属板の少なくとも一部を覆う樹脂製のカバーと、で構成されている。フレーム１１は、可とう性を有している。
【００９０】
取付部１２は、フレーム１１に設けられて、電極ユニット１を保持可能である。取付部１２は、フレーム１１の長手方向に移動可能に取り付けられている。取付部１２は、二つの電極ユニット１を保持可能である。各電極ユニット１は、取付部１２によって、対象者８の頭部８０の測定箇所に接触する位置に保持される。本実施形態では、フレーム１１には、処理部１４を挟んだ両側に、一対の取付部１２が設けられている。
【００９１】
一対の保持部１３は、フレーム１１の両端部に設けられている。ヘッドセット１００は、一対の保持部１３によって頭部８０を挟み込むことで、頭部８０に装着される。一対の保持部１３のそれぞれには、ヘッドセット１００を対象者８の頭部８０に固定するための一対のバンド１０４（図１１参照）を引っ掛けるための引っ掛け部１３０が設けられている。
【００９２】
処理部１４は、電極ユニット１から入力される脳波信号（電気信号）に対して信号処理を実行し、脳波情報を生成する信号処理部と、生成された脳波情報を情報処理装置１０１に無線送信する通信部と、信号処理部及び通信部に動作電力を供給する電池とを有する。
【００９３】
参照電極１５は、一方の取付部１２に保持される二つの電極ユニット１の各々で測定される脳波信号の基準電位を測定するための電極である。参照電極１５は、頭部８０において、一方の取付部１２に保持される二つの電極ユニット１が配置されている側の耳（本実施形態では、対象者８の右耳）の後方位置に貼り付けられる。
【００９４】
アース電極１６は、頭部８０において参照電極１５が配置されていない側の耳の後方位置に貼り付けられる。参照電極１５及びアース電極１６の各々は、処理部１４に対して電線１７を介して電気的に接続されている。また、処理部１４は、電極ユニット１に電気的に接続されている。
【００９５】
以上説明したヘッドセット１００は、対象者８の頭部８０に装着することで、二つの電極ユニット１の電極表面３０を、ペースト剤２を介して頭部８０の測定部位に押し当てることができ、脳波を測定することが可能となる。
【００９６】
（補足）
電極ユニット１は、ヘッドセット１００に限らず、人体の頭部以外の部位に装着されるその他の装着具に取り付けることで、人体の頭部以外の部位の生体信号を測定するものであってもよい。
【００９７】
ヘッドセット１００は、図２Ａ，Ｂ及び図１０に示す構造のものに限らず、その他の構造であってもよい。
【００９８】
（まとめ）
以上説明した実施形態１から４及びその変形例の電極ユニット１のように、第一態様の電極ユニット（１）は、下記の構成を備える。
【００９９】
すなわち、第一態様の電極ユニット（１）は、電極体（３）と規定部材（５）を備える。電極体（３）は、人体の生体信号を計測するために、ペースト剤（２）を介して人体に当てられる電極表面（３０）を有する。規定部材（５）は、電極表面（３０）が向く第一の向き（Ｄ１）とは反対の第二の向き（Ｄ２）に見て、電極表面（３０）を囲んで位置することで、ペースト剤（２）が塗布される塗布領域（Ａ１）を形成する。規定部材（５）は、第一の向き（Ｄ１）の端面（５０）が電極表面（３０）よりも高く位置する。
【０１００】
上記構成を備えることで、第一態様の電極ユニット（１）では、規定部材（５）によって形成される塗布領域（Ａ１）を埋めるように、電極表面（３０）にペースト剤（２）を塗布することができる。これにより、第一態様の電極ユニット（１）では、電極表面（３０）に塗布するペースト剤（２）の塗布量が安定しやすい。
【０１０１】
また、実施形態１，２及びその変形例の電極ユニット１のように、第二態様の電極ユニット（１）は、第一態様の電極ユニット（１）の構成に加えて、下記の構成を付加的に備える。
【０１０２】
すなわち、第二態様の電極ユニット１では、規定部材（５）は、端面（５０）が電極表面（３０）よりも高く位置する塗布位置と、端面（５０）が塗布位置よりも第二の向き（Ｄ２）に退避した退避位置とに、移動可能である。
【０１０３】
上記構成を備えることで、第二態様の電極ユニット（１）では、規定部材（５）を、塗布領域（Ａ１）を形成する塗布位置に配置してペースト剤（２）を塗布した後は、規定部材（５）を退避位置に移動させることができる。これにより、第二態様の電極ユニット（１）では、ペースト剤（２）の塗布後に規定部材（５）が邪魔になりにくい。
【０１０４】
また、実施形態１及びその変形例の電極ユニット１のように、第三態様の電極ユニット（１）は、第二態様の電極ユニット（１）の構成に加えて、下記の構成を付加的に備える。
【０１０５】
すなわち、第三態様の電極ユニット（１）では、規定部材（５）は、塗布位置と退避位置とに、スライド移動する。
【０１０６】
上記構成を備えることで、第三態様の電極ユニット（１）では、規定部材（５）をスライドさせることで、規定部材（５）を塗布位置と退避位置に移動させることができる。
【０１０７】
また、実施形態１の変形例の電極ユニット１のように、第四態様の電極ユニット（１）は、第三態様の電極ユニット（１）の構成に加えて、下記の構成を付加的に備える。
【０１０８】
すなわち、第四態様の電極ユニット（１）は、規定部材（５）に対して、塗布位置に向かう方向に力を加えるばね部材（７）を更に備える。
【０１０９】
上記構成を備えることで、第四態様の電極ユニット（１）では、ばね部材（７）からの力によって、規定部材（５）を塗布位置へと自動的にスライド移動させることができる。
【０１１０】
また、実施形態２及びその変形例の電極ユニット１のように、第五態様の電極ユニット（１）は、第二態様の電極ユニット（１）の構成に加えて、下記の構成を付加的に備える。
【０１１１】
すなわち、第五態様の電極ユニット（１）では、規定部材（５）は、第一の向き（Ｄ１）に沿った回転軸を中心に回転しながら、塗布位置と退避位置とに、移動する。
【０１１２】
上記構成を備えることで、第五態様の電極ユニット（１）では、規定部材（５）を回転させることで、規定部材（５）を塗布位置と退避位置に移動させることができる。
【０１１３】
また、実施形態２及びその変形例の電極ユニット１のように、第六態様の電極ユニット（１）は、第二から第五態様のいずれか一つの電極ユニット（１）の構成に加えて、下記の構成を付加的に備える。
【０１１４】
すなわち、第六態様の電極ユニット（１）では、前記塗布位置は、変更可能である。
【０１１５】
上記構成を備えることで、第六態様の電極ユニット（１）では、規定部材（５）によって形成される塗布領域（Ａ１）の厚みを、適宜変更できて、汎用性が高い。
【０１１６】
また、実施形態３及びその変形例の電極ユニット１のように、第七態様の電極ユニット（１）は、第一態様の電極ユニット（１）の構成に加えて、下記の構成を付加的に備える。
【０１１７】
すなわち、第七態様の電極ユニット（１）は、電極体（３）を支持する支持部材（４）を更に備え、規定部材（５）は、支持部材（４）に着脱可能に取り付けられる。
【０１１８】
上記構成を備えることで、第七態様の電極ユニット（１）では、規定部材（５）によって形成される塗布領域（Ａ１）内にペースト剤（２）を塗布した後は、規定部材（５）を支持部材（４）から取り外すことができる。そのため、第七態様の電極ユニット（１）では、ペースト剤（２）を塗布した後、電極表面（３０）をペースト剤（２）を介して人体に当てるときに、規定部材（５）が邪魔にならない。
【０１１９】
また、実施形態３の変形例の電極ユニット１のように、第八態様の電極ユニット（１）は、第七態様の電極ユニット（１）の構成に加えて、下記の構成を付加的に備える。
【０１２０】
すなわち、第八態様の電極ユニット（１）では、第二の向き（Ｄ２）に見て、塗布領域（Ａ１）の中心（Ｃ１）は、電極表面（３０）の中心（Ｃ２）からずれて位置する。
【０１２１】
上記構成を備えることで、第八態様の電極ユニット（１）では、電極表面（３０）の中心（Ｃ２）からずれた点（塗布領域（Ａ１）の中心（Ｃ１））を中心とした範囲に、ペースト剤（２）を塗布することができる。そのため、第八態様の電極ユニット（１）では、電極ユニット（１）を二つ並べて配置した場合に、両電極ユニット（１）に塗布されたペースト剤（２）が互いに接することを防ぐことができる。
【０１２２】
また、実施形態４及びその変形例の電極ユニット１のように、第九態様の電極ユニット（１）は、第一態様の電極ユニット（１）の構成に加えて、下記の構成を付加的に備える。
【０１２３】
すなわち、第九態様の電極ユニット（１）では、規定部材（５）は、弾性を有する。
【０１２４】
上記構成を備えることで、第九態様の電極ユニット（１）では、規定部材（５）の端面（５０）を人体に押し当てた際に、規定部材（５）が変形可能であり、端面（５０）が人体に強く食い込むことを抑制することができる。
【０１２５】
また、実施形態１から４の変形例の電極ユニット１のように、第十態様の電極ユニット（１）は、第一から第九態様のいずれか一つの電極ユニット（１）の構成に加えて、下記の構成を付加的に備える。
【０１２６】
すなわち、第十態様の電極ユニット（１）では、規定部材（５）の端面（５０）は、第一の向き（Ｄ１）に直交する方向の一端部が、前記方向の他端部よりも低く位置する。
【０１２７】
上記構成を備えることで、第十態様の電極ユニット（１）では、電極表面（３０）に塗布されるペースト剤（２）の厚みを一部では薄くすることができる。これにより、第十態様の電極ユニット（１）では、電極ユニット（１）を二つ並べて配置した場合に、両電極ユニット（１）に塗布されたペースト剤（２）が互いに接することを防ぐことができる。
【０１２８】
また、上述した実施形態のヘッドセット１００のように、第十一態様のヘッドセット（１００）は、第一から第十態様のいずれか一つの電極ユニット（１）と、電極ユニット（１）が取り付けられ、人体の頭部（８０）に装着されるフレーム（１１）と、を備える。
【０１２９】
上記構成を備えることで、第十一態様のヘッドセット（１００）では、人体の頭部（８０）に装着した際に、所定厚みのペースト剤（２）を介して電極表面（３０）を頭部（８０）に当てることができ、脳波を安定的に測定することができる。
【０１３０】
また、上述したペースト剤の塗布方法のように、第十二態様のペースト剤の塗布方法は、第一から第十態様のいずれか一つの電極ユニット（１）の規定部材（５）で囲まれる塗布領域（Ａ１）を埋めるように、電極表面（３０）にペースト剤（２）を塗布する。
【０１３１】
上記構成を備えることで、第十二態様のペースト剤の塗布方法によれば、規定部材（５）で囲まれる塗布領域（Ａ１）に対応した厚みのペースト剤（２）を、電極表面（３０）に安定的に塗布することができる。
【０１３２】
以上、本開示を添付図面に示す実施形態に基づいて説明したが、本開示は上記の実施形態に限定されるものではなく、本開示の意図する範囲内であれば、適宜の設計変更が可能である。
【符号の説明】
【０１３３】
１      電極ユニット
２      ペースト剤
３      電極体
３０    電極表面
４      支持部材
５      規定部材
５０    端面
７      ばね部材
１００  ヘッドセット
１１    フレーム
Ａ１    塗布領域
Ｃ１    中心
Ｃ２    中心
Ｄ１    第一の向き
Ｄ２    第二の向き
【図１】
2020054522.tif 000003
【図２】
2020054522.tif 000004
【図３】
2020054522.tif 000005
【図４】
2020054522.tif 000006
【図５】
2020054522.tif 000007
【図６】
2020054522.tif 000008
【図７】
2020054522.tif 000009
【図８】
2020054522.tif 000010
【図９】
2020054522.tif 000011
【図１０】
2020054522.tif 000012
【図１１】
2020054522.tif 000013